(57)【特許請求の範囲】
【請求項１】
文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
処理の指定と、表示中の任意のページ指定オブジェクトに対するページの指定操作を受けたとき、該指定操作を受けたページ指定オブジェクトに対応する文書の中の、該指定操作によって指定されたページに対して、前記指定された処理を施す
ことを特徴とする文書閲覧装置。
【請求項２】
文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
処理の指定と、ページ単位の指定と、表示中の任意のページ指定オブジェクトに対するページの指定操作を受けたとき、該指定操作を受けたページ指定オブジェクトに対応する文書の中の、該指定操作によって指定されたページに対して、前記指定された処理を施し、
処理の指定と、文書単位の指定と、表示中の任意のページ指定オブジェクトに対するページの指定操作を受けたとき、該指定操作を受けたページ指定オブジェクトに対応する文書の全体に対して、前記指定された処理を施す
ことを特徴とする文書閲覧装置。
【請求項３】
表示対象にされている複数の文書のうち、所定の要件が共通する複数の文書をまとめて１つのページ指定オブジェクトで表示する
ことを特徴とする請求項１または２に記載の文書閲覧装置。
【請求項４】
文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
表示対象にされている複数の文書のうち、所定の要件が共通する複数の文書をまとめて１つのページ指定オブジェクトで表示する
ことを特徴とする文書閲覧装置。
【請求項５】
前記所定の要件は、表示対象に登録された日付、文書の送信元、文書の送信先、の中の少なくとも１つを含む
ことを特徴とする請求項３または４に記載の文書閲覧装置。
【請求項６】
前記ページ指定オブジェクトは、全体が１つの文書に対応しかつその中の位置により前記文書の中のページ位置が特定される表示物であり、
前記ページの指定操作は、前記ページ指定オブジェクトの中の任意の箇所を選択する操作である
ことを特徴とする請求項１乃至５のいずれか１項に記載の文書閲覧装置。
【請求項７】
前記制御部は、前記表示部に表示中のページの属する文書に対応する前記ページ指定オブジェクトの中の、前記表示中のページに対応する位置に、所定の識別マークを表示する
ことを特徴とする請求項６に記載の文書閲覧装置。
【請求項８】
前記制御部は、表示対象にされた前記複数の文書に対応する複数の前記ページ指定オブジェクトを、境界を識別可能に１つに連結した連結ページ指定オブジェクトとして表示する
ことを特徴とする請求項６または７に記載の文書閲覧装置。
【請求項９】
前記連結ページ指定オブジェクトのサイズを一定とし、かつ表示対象にされている前記複数の文書のページ数の比率に応じて各文書に対応するページ指定オブジェクトのサイズを設定する
ことを特徴とする請求項８に記載の文書閲覧装置。
【請求項１０】
前記制御部は、文書が表示対象にされた順に前記ページ指定オブジェクトを配列した前記連結ページ指定オブジェクトを表示する
ことを特徴とする請求項８または９に記載の文書閲覧装置。
【請求項１１】
前記ページ指定オブジェクトは、その全長が１つの文書の全体に対応しかつ全長の中の位置により前記文書の中のページ位置が特定される棒状の表示物である
ことを特徴とする請求項１乃至１０のいずれか１項に記載の文書閲覧装置。
【請求項１２】
前記制御部は、表示対象にされている前記複数の文書のうち、前記表示部に表示中のページを含む文書についてはその表示中のページのページ番号とその文書のページ数とをその文書のページ指定オブジェクトに対応付けて表示する第１ページ情報表示を行い、前記複数の文書のうち、他の文書についてはその文書のページ数をその文書のページ指定オブジェクトに対応付けて表示する第２ページ情報表示を行う
ことを特徴とする請求項１乃至１１のいずれか１つに記載の文書閲覧装置。
【請求項１３】
外部装置から文書のデータを入力する入力部を備え、
前記制御部は、
前記入力部からデータの入力された文書を、その入力時に前記表示対象にする
ことを特徴とする請求項１乃至１２のいずれか１項に記載の文書閲覧装置。
【請求項１４】
前記制御部は、新規ページの作成要求を受けたとき、該新規ページを前記表示対象の文書の１つに設定し、該新規ページに対応するページ指定オブジェクトを表示する
ことを特徴とする請求項１３に記載の文書閲覧装置。
【請求項１５】
表示対象にされている文書が所定数以上の場合には、前記第１ページ情報表示と前記第２ページ情報表示の双方を行わない、もしくは前記第２ページ情報表示を行わない
ことを特徴とする請求項１２に記載の文書閲覧装置。
【請求項１６】
前記連結ページ指定オブジェクトにおいて、ページ指定オブジェクトの境界が識別可能となるようにページ指定オブジェクトの色を相違させる
ことを特徴とする請求項８に記載の文書閲覧装置。
【請求項１７】
前記表示部は、電源オフ後も表示内容が維持される、メモリ性表示デバイスである
ことを特徴とする請求項１乃至１６のいずれか１つに記載の文書閲覧装置。
【請求項１８】
表示部と操作部を備えた情報処理装置を、
請求項１乃至１７のいずれか１つに記載の文書閲覧装置として機能させる
ことを特徴とするプログラム。
【発明の詳細な説明】
【技術分野】
【０００１】
本発明は、文書を表示する文書閲覧装置およびプログラムに関する。
【背景技術】
【０００２】
多数のページからなる文書の中の特定の１ページを表示装置に表示する場合、表示中のページが文書全体の中の何ページ目であるかを、たとえば「ページ位置／全ページ数」といった分数の形式で表示することが一般に行われる。また、これをより直感的に表示する技術もある。
【０００３】
たとえば、ページめくり用の「進む」釦、「戻る」釦を表示すると共に、これらの釦の中に、バーの幅が釦の幅を全ページ数とした場合の１ページ分の割合に対応し、かつバーの位置が現在表示ページの位置に対応するようなバーを表示する技術がある（たとえば、特許文献１参照。）。
【０００４】
また、全ページ数分に区分された複数のバーを表示し、現在表示中のページに対応するバーを他のバーと色などで識別可能に表示することで、現在表示中のページが、全データ中の何ページ目であるかを容易に把握できるようにしたデータ表示装置がある（たとえば、特許文献２参照。）。
【先行技術文献】
【特許文献】
【０００５】
【特許文献１】特開２００１−０５１７６９号公報
【特許文献２】特開２００４−０２１４６７号公報
【特許文献３】特開平９−１９０２７５号公報
【発明の概要】
【発明が解決しようとする課題】
【０００６】
前述した特許文献１、２に開示の技術は、１つの文書を対象としたものである。一方、近年は、複数の文書を開くことのできる情報処理装置が普及している。このように複数の文書が開かれている（表示対象にされている）状態で、その中の特定の文書の特定のページを指定して表示させるためには、まず、文書を選択し、その後、その文書の中のページ位置を指定するといった２段階の操作が必要となり、煩雑であった。
【０００７】
また、表示対象にされている複数の文書が互いに関連ある文書であっても、これら複数の文書全体としての総ページ数や、複数の文書全体における各文書のページ数比率、複数の文書全体の中でのページ位置などを直感的に把握できるようなユーザＩ／Ｆはなかった。
【０００８】
本発明は、上記の問題を解決しようとするものであり、表示されるページを、表示対象にされた複数の文書の中の任意の文書の任意のページに１回の指定操作で切り替えることのできる文書閲覧装置およびそのプログラムを提供することを目的としている。
【課題を解決するための手段】
【０００９】
かかる目的を達成するための本発明の要旨とするところは、次の各項の発明に存する。
【００１０】
［１］文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
処理の指定と、表示中の任意のページ指定オブジェクトに対するページの指定操作を受けたとき、該指定操作を受けたページ指定オブジェクトに対応する文書の中の、該指定操作によって指定されたページに対して、前記指定された処理を施す
ことを特徴とする文書閲覧装置。
【００１１】
上記発明では、表示対象にされた複数の文書のそれぞれについてページ指定オブジェクトを表示し、いずれかのページ指定オブジェクトに対してページの指定操作を受けたとき、そのページ指定操作を受けたページ指定オブジェクトに対応する文書の、その指定操作で指定されたページを表示部に表示する。ページ指定オブジェクトは、ページの指定操作を受けることのできるオブジェクトであれば任意でよい。たとえば、棒状の表示物であってその中の位置でページ位置を示すようなオブジェクトであってもよいし、数字によりページ位置の指定を直接受けるようなオブジェクトであってもよい。
また、削除、送信などの処理の指定と、ページの指定操作を受けた場合、その指定されたページに対して、指定された処理が施される。複数の文書の中から所望の文書の所望のページを１回の指定操作で選択可能となる本発明の高い操作性が、表示中のページを切り替える以外の処理に対しても適用される。
［２］文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
処理の指定と、ページ単位の指定と、表示中の任意のページ指定オブジェクトに対するページの指定操作を受けたとき、該指定操作を受けたページ指定オブジェクトに対応する文書の中の、該指定操作によって指定されたページに対して、前記指定された処理を施し、
処理の指定と、文書単位の指定と、表示中の任意のページ指定オブジェクトに対するページの指定操作を受けたとき、該指定操作を受けたページ指定オブジェクトに対応する文書の全体に対して、前記指定された処理を施す
ことを特徴とする文書閲覧装置。
上記発明では、文書単位での指定とページ単位の指定の双方が可能になる。
［３］表示対象にされている複数の文書のうち、所定の要件が共通する複数の文書をまとめて１つのページ指定オブジェクトで表示する
ことを特徴とする［１］または［２］に記載の文書閲覧装置。
［４］文書、および１つの文書の中の任意のページの指定を受けるためのページ指定オブジェクトが表示される表示部と、
前記ページ指定オブジェクトに対するページの指定操作を受ける操作部と、
制御部と
を備え、
前記制御部は、複数の文書が表示対象にされているとき、該複数の文書のそれぞれに対応する前記ページ指定オブジェクトを前記表示部に表示し、表示中の任意のページ指定オブジェクトに対するページの指定操作を前記操作部で受けたとき、該指定操作を受けたページ指定オブジェクトに対応する文書の中の、該指定操作によって指定されたページを前記表示部に表示し、
表示対象にされている複数の文書のうち、所定の要件が共通する複数の文書をまとめて１つのページ指定オブジェクトで表示する
ことを特徴とする文書閲覧装置。
上記［３］［４］に記載の発明では、所定の要件が共通する複数の文書をまとめて１つのページ指定オブジェクトで表すことで、ページ指定オブジェクトの数を減らすことができる。特に、表示対象にされている文書が多数の場合に、ページ指定オブジェクトの数が多くなり過ぎて見難くなることが回避される。
［５］前記所定の要件は、表示対象に登録された日付、文書の送信元、文書の送信先、の中の少なくとも１つを含む
ことを特徴とする［３］または［４］に記載の文書閲覧装置。
【００１２】
［６］前記ページ指定オブジェクトは、全体が１つの文書に対応しかつその中の位置により前記文書の中のページ位置が特定される表示物であり、
前記ページの指定操作は、前記ページ指定オブジェクトの中の任意の箇所を選択する操作である
ことを特徴とする［１］乃至５のいずれか１項に記載の文書閲覧装置。
【００１３】
上記発明では、ページ指定オブジェクトは、その領域全体が１つの文書の全体に対応し、かつ、その中の位置により該文書の中のページ位置が特定されるような表示物である。たとえば、ページ指定オブジェクトの形状には、バー、環、円弧などがある。ページの指定操作は、ページ指定オブジェクトの中の任意の箇所を選択する操作である。これにより、所望のページ位置を簡易にかつ直感的に指定することができる。
【００１４】
［７］前記制御部は、前記表示部に表示中のページの属する文書に対応する前記ページ指定オブジェクトの中の、前記表示中のページに対応する位置に、所定の識別マークを表示する
ことを特徴とする［６］に記載の文書閲覧装置。
【００１５】
上記発明では、複数のページ指定オブジェクトのうち、現在表示中のページが属する文書のページ指定オブジェクトの該当ページ位置に識別マークが表示される。表示中のページがどの文書のどのようなページ位置のページであるかを一目で直感的に認識させることができる。
【００１６】
［８］前記制御部は、表示対象にされた前記複数の文書に対応する複数の前記ページ指定オブジェクトを、境界を識別可能に１つに連結した連結ページ指定オブジェクトとして表示する
ことを特徴とする［６］または［７］に記載の文書閲覧装置。
【００１７】
上記発明では、各文書に対応するページ指定オブジェクトは、境界が分かるように連結されて１つの連結ページ指定オブジェクトとして表示される。複数の文書を一体的表すことができ、該一体的な表示物上で任意の文書の任意のページの指定を受けることができる。
【００１８】
［９］前記連結ページ指定オブジェクトのサイズを一定とし、かつ表示対象にされている前記複数の文書のページ数の比率に応じて各文書に対応するページ指定オブジェクトのサイズを設定する
ことを特徴とする［８］に記載の文書閲覧装置。
【００１９】
上記発明では、連結ページ指定オブジェクト全体としてのサイズは一定に保持され、該連結ページ指定オブジェクトを構成する各ページ指定オブジェクトのサイズは、それぞれが対応する文書のページ数の比率に従って設定される。たとえば、ページ指定オブジェクトおよび連結ページ指定オブジェクトをバー状の表示物とする場合、連結ページ指定オブジェクトとしての１本のバーの全長は固定長にされ、各ページ指定オブジェクトに対応する部分（区間とする）の長さは、各文書のページ数の比率に応じて設定される。
【００２０】
［１０］前記制御部は、文書が表示対象にされた順に前記ページ指定オブジェクトを配列した前記連結ページ指定オブジェクトを表示する
ことを特徴とする［８］または［９］に記載の文書閲覧装置。
【００２１】
上記発明では、連結ページ指定オブジェクトを構成する各ページ指定オブジェクトは、対応する文書が表示対象にされた順に従って配列される。これにより、表示対象にされた順序を連結ページ指定オブジェクト内での並び順から認識することができる。
【００２２】
［１１］前記ページ指定オブジェクトは、その全長が１つの文書の全体に対応しかつ全長の中の位置により前記文書の中のページ位置が特定される棒状の表示物である
ことを特徴とする［１］乃至［１０］のいずれか１項に記載の文書閲覧装置。
【００２３】
上記発明では、棒状表示物の全長は文書全体を示し、該棒状表示物の中の位置によりその文書の中のページ位置が特定される。この場合、連結ページ指定オブジェクトも１本の真っ直ぐな棒状にされることが望ましい。
【００２４】
［１２］前記制御部は、表示対象にされている前記複数の文書のうち、前記表示部に表示中のページを含む文書についてはその表示中のページのページ番号とその文書のページ数とをその文書のページ指定オブジェクトに対応付けて表示する第１ページ情報表示を行い、前記複数の文書のうち、他の文書についてはその文書のページ数をその文書のページ指定オブジェクトに対応付けて表示する第２ページ情報表示を行う
ことを特徴とする［１］乃至［１１］のいずれか１つに記載の文書閲覧装置。
【００２５】
上記発明では、表示中のページを含む文書については、表示中のページのページ位置とその文書の総ページ数が表示される。一方、他の文書については、総ページ数のみの簡略表示となる。
【００３０】
［１３］外部装置から文書のデータを入力する入力部を備え、
前記制御部は、
前記入力部からデータの入力された文書を、その入力時に前記表示対象にする
ことを特徴とする［１］乃至［１２］のいずれか１項に記載の文書閲覧装置。
【００３１】
上記発明では、外部装置から入力した文書は、その入力時点で表示対象に設定される。
【００３２】
［１４］前記制御部は、新規ページの作成要求を受けたとき、該新規ページを前記表示対象の文書の１つに設定し、該新規ページに対応するページ指定オブジェクトを表示する
ことを特徴とする［１３］に記載の文書閲覧装置。
【００３３】
上記発明では、当該装置で作成した新規ページを１つの文書として扱い、新規ページに対応するページ指定オブジェクトを表示する。なお、新規ページの作成を複数回行ったとき、これら当該装置で作成した複数のページを１つの文書にまとめて扱ってもよいし、個別の文書として扱うようにしてもよい。
【００３４】
［１５］表示対象にされている文書が所定数以上の場合には、前記第１ページ情報表示と前記第２ページ情報表示の双方を行わない、もしくは前記第２ページ情報表示を行わない
ことを特徴とする［１２］に記載の文書閲覧装置。
【００３５】
上記発明では、ページ指定オブジェクトが多数になった場合、表示面積や見易さの観点から、第１ページ情報表示（表示中のページを含む文書に関する、表示中のページ位置とページ数の表示）や第２ページ情報表示（他の文書に関する、ページ数の表示）は行わない。
【００３９】
［１６］前記連結ページ指定オブジェクトにおいて、ページ指定オブジェクトの境界が識別可能となるようにページ指定オブジェクトの色を相違させる
ことを特徴とする［８］に記載の文書閲覧装置。
【００４０】
上記発明では、連結されている個々のページ指定オブジェクトを容易に識別することができる。
【００４１】
［１７］前記表示部は、電源オフ後も表示内容が維持される、メモリ性表示デバイスである
ことを特徴とする［１］乃至［１６］のいずれか１つに記載の文書閲覧装置。
【００４２】
上記発明では、ユーザは、ページ指定オブジェクトや連結ページ指定オブジェクトの状態を電源オフ後も確認することができる。
【００４３】
［１８］表示部と操作部を備えた情報処理装置を、
［１］乃至［１７］のいずれか１つに記載の文書閲覧装置として機能させる
ことを特徴とするプログラム。
【発明の効果】
【００４４】
本発明に係る文書閲覧装置およびそのプログラムによれば、表示対象にされた複数の文書の中の任意の文書の任意のページに１回の選択操作で表示ページを切り替えることができる。
【図面の簡単な説明】
【００４５】
【図１】本発明の実施の形態に係る文書閲覧装置およびその利用形態の概要を示す説明図である。
【図２】本発明の実施の形態に係る文書閲覧装置の電気系概略構成を示すブロック図である。
【図３】本発明の実施の形態に係る文書閲覧装置の表示部に表示される標準画面の構成を示す図である。
【図４】表示対象の文書が何もない初期状態から表示対象の文書を順次追加した場合におけるシークバー等の変遷を示す説明図である。
【図５】表示対象の文書を追加する処理を示す流れ図である。
【図６】シークバーへのタッチ操作を受けて表示中のページを変更する処理を示す流れ図である。
【図７】表示対象に登録されている全文書を削除する場合のユーザ手順および探索情報表示領域の表示状態の遷移を示す説明図である。
【図８】表示対象のいずれかの文書またはページを削除する場合のユーザ手順および探索情報表示領域の表示状態の遷移を示す説明図である。
【図９】文書閲覧装置が行う削除処理を示す流れ図である。
【図１０】表示対象に登録されている文書またはページを移動する場合のユーザ手順および探索情報表示領域の表示状態の遷移を示す説明図である。
【図１１】文書閲覧装置が行う移動処理を示す流れ図である。
【図１２】表示対象に登録されている全文書を外部装置へ送信する場合のユーザ手順および探索情報表示領域の表示状態の遷移を示す説明図である。
【図１３】表示対象のいずれかの文書またはページを外部装置へ送信する場合のユーザ手順および探索情報表示領域の表示状態の遷移を示す説明図である。
【図１４】文書閲覧装置が行う送信処理を示す流れ図である。
【図１５】縦型のシークバーを示す図である。
【図１６】区間を階段状に配置した階段型のシークバーを示す図である。
【図１７】文書毎に独立した文書バーを表示する場合の一例を示す図である。
【図１８】文書毎に独立した文書バーを表示する場合であって、文書バーの長さを文書のページ数に応じた長さにする場合の一例を示す図である。
【図１９】シークバーの表示において、表示対象の文書の数が多数の場合に、文書毎の詳細文書情報やページ数情報の表示を省略する場合を示す図である。
【図２０】区間によって色を相違させたシークバーを例示する図である。
【発明を実施するための形態】
【００４６】
以下、図面に基づき本発明の実施の形態を説明する。
【００４７】
図１は、本発明に係る文書閲覧装置１０およびその利用形態の概要を示している。
【００４８】
文書閲覧装置１０は、パーソナルコンピュータなどの情報処理装置５や印刷装置７などの外部装置と無線通信可能であり、印刷装置７の読み取り部で原稿を読み取って得たスキャン画像や情報処理装置５等から文書のデータを受信し、そのスキャン画像や文書（これらをドキュメントとも呼ぶ）を表示したり、編集したり、手書きによるメモ書きを付加したりする機能を備えている。また手書きメモを付加するなどの処理を加えた後の文書を、情報処理装置５や印刷装置７などの外部装置に送信する機能を備えている。文書閲覧装置１０は、たとえば、印刷前の文書の校閲、校正などに利用される。
【００４９】
文書閲覧装置１０は、Ａ４サイズほどの平板形状を成した携帯端末であり、表面のほぼ全域がメモリ表示デバイスの表示面Ｓになっている。メモリ表示デバイスは、電源をオフしても表示内容を保持して表示を継続する表示装置である。たとえば、粒子移動型の電子ペーパで構成される。
【００５０】
また、メモリ表示デバイスの表示面Ｓ上には、指やペンなどでタッチされた位置を検出するタッチパネルが設けてある。
【００５１】
図２は、文書閲覧装置１０の電気系概略構成を示している。文書閲覧装置１０は、当該文書閲覧装置１０の動作を統括制御する制御部としてのＣＰＵ１１に、表示部１７が配下に接続された表示コントローラ１２と、操作部１３と、通信部１４と、メモリ１５と、ＲＯＭ（Read Only Memory）１６とを接続して構成される。また、文書閲覧装置１０の各部に電源を供給する電池１８を備えている。
【００５２】
表示部１７は、前述したメモリ表示デバイスで構成される。表示コントローラ１２は、各種の制御信号や表示データを表示部１７に与えてその表示内容の書き換え等を制御する。実際の表示内容となる画面はＣＰＵ１１が作成する。操作部１３は、表示部１７の表示面Ｓ上に設けられ、指やペンなどによって押下された位置を検出するタッチパネルのほか、文書閲覧装置１０の表示面Ｓの周囲の縁部等に配置された操作スイッチなどで構成される。
【００５３】
文書閲覧装置１０では、タッチパネルを通じてユーザの手書きによる文字、図形などの手書きオブジェクトの入力を受けることができる。タッチパネルの検知方式は、静電容量、アナログ/デジタル抵抗膜、赤外線、超音波、電磁誘導等、任意でよい。
【００５４】
通信部１４は、無線通信によりネットワークと接続し、情報処理装置５や印刷装置７などの外部装置と通信する機能を果たす。
【００５５】
ＲＯＭ１６には、各種プログラムやデータが格納され、これらのプログラムに従ってＣＰＵ１１が各種の処理を実行することで文書閲覧装置１０としての各機能が実現される。メモリ１５はＣＰＵ１１がプログラムを実行する際に各種のデータを一時的に格納するワークメモリや表示データを一時記憶するメモリとして使用される。
【００５６】
文書閲覧装置１０は、情報処理装置５などの外部装置から受信した文書を表示対象の文書としてメモリ１５に登録する。何らかの文書が表示対象に登録された状態でさらに別の文書を受信すると、その文書も表示対象の文書として追加登録される。文書閲覧装置１０は、このようにして表示対象として登録された１または複数の文書の中から選択された任意の１ページを表示し、このページに対して手書きの書き込みや修正を受け付けるようになっている。
【００５７】
図３は、文書閲覧装置１０の表示部１７に表示される標準画面２０の構成を示している。標準画面２０には、その左上の隅に寄せて、該標準画面２０の約８割の面積を占める文書表示領域２１が配置されている。文書表示領域２１には、表示対象の文書の任意の１ページが表示される。
【００５８】
文書表示領域２１の下方には、表示対象として登録されている文書の数やページ数、現在表示中のページのページ位置などを表示するほか、ページの選択操作などを受けるための探索情報表示領域２２が設けられている。
【００５９】
探索情報表示領域２２には、表示対象にされた各文書に対応するページ指定オブジェクトが表示される。ページ指定オブジェクトは、１つの文書の中で任意のページの指定操作を受けるためのオブジェクトである。ここでは、ページ指定オブジェクトを、棒状の文書バーとする。文書バーは、その全長が１つの文書の全体に対応し、全長の中の位置がその文書の中のページ位置を表している。文書バーの左端が先頭ページに、右端が最終ページに対応するものとする。たとえば、ある文書バーが３０ページの文書に対応している場合、この文書バーの全長は当該３０ページの文書全体に対応しており、左端から３分の１の位置は、文書の先頭から１０ページ目のページ位置に対応する。
【００６０】
図３の例では、表示対象にされた複数の文書の文書バー（ページ指定オブジェクト）を連結した連結ページ指定オブジェクトとして、シークバー２３が表示されている。シークバー２３は、全長が固定長の真っ直ぐな棒形状をなしており、表示対象にされている複数の文書全体を表している。表示対象の文書が複数ある場合、固定長のシークバー２３は、文書の数と同数の複数の区間に区分される。各区間は前述した１つの文書バー（１つのページ指定オブジェクト）に相当する。各区間の長さの比率は、表示対象の複数の文書のページ数の比率に対応する。
【００６１】
図３の例は、表示対象の文書として、第１文書（３０ページ）、第２文書（１７ページ）、第３文書（１５ページ）の３つが登録されている場合を示している。シークバー２３は、左端から、第１文書に対応する文書バーとしての区間２３ａ、第２文書に対応する文書バーとしての区間２３ｂ、第３文書に対応する文書バーとしての区間２３ｃの３つに区分されている。区間２３ａと区間２３ｂと区間２３ｃの長さの比は、ページ数の比率に従って、３０：１７：１５になっている。この３つの文書のトータルページ数は６２ページであり、シークバー２３の全長を固定長Ｌとした場合、区間２３ａの長さＬａは、Ｌａ＝Ｌ×３０÷６２、区間２３ｂの長さＬｂはＬｂ＝Ｌ×１７÷６２、区間２３ｃの長さＬｃは、Ｌｃ＝Ｌ×１５÷６２、にされる。
【００６２】
一般式で表す。シークバー２３の固定長（全長）をＬ、任意の区間ｎに対応する文書のページ数Ｐｎ、トータルページ数Ｇとすれば、区間ｎの長さＬｎは、
Ｌｎ＝Ｌ×Ｐｎ÷Ｇ    …（１）式  となる。
【００６３】
なお、シークバー２３の中での文書（区間）の並びは、先に登録された文書ほど左端寄りになるようになっている。
【００６４】
シークバー２３上のインジケータ２４は、現在表示中のページの位置を示している。
【００６５】
シークバー２３の右端の右隣には、当該シークバー２３が表している表示対象の文書全体のトータルページ数２５が表示される。
【００６６】
表示対象の文書のうち、表示中のページを含む文書については、その区間の右端部下方に、表示中のページの当該文書中のページ位置と当該文書のページ数とを、ページ数を分母とする分数形式で表した、詳細文書情報２６が表示される。表示対象の文書のうち、表示中のページを含む文書以外の文書については、その文書のページ数を示すページ数情報２７が表示される。
【００６７】
さらに、手書きの行われたページに対応するシークバー２３上の箇所にはマーカ２８が表示される。
【００６８】
探索情報表示領域２２の右横には、表示中のページを１ページ進めるための進む釦３１、および１ページ戻すための戻る釦３２が表示されている。
【００６９】
文書表示領域２１の右側の領域には、削除釦３３、移動釦３４、送信釦３５、メモ追加釦３６などが縦に配列されている。
【００７０】
次に、探索情報表示領域２２における表示内容の遷移等について説明する。
【００７１】
図４は、表示対象の文書が何もない初期状態から、表示対象の文書を順次追加した場合におけるシークバー２３等の変遷を示している。
【００７２】
図４（ａ）は、表示対象の文書が何も登録されていない初期状態における探索情報表示領域２２の表示状態を示している。シークバー２３は区分されない、１本の横棒として表示され、トータルページ数２５は「０」になっている。インジケータ２４、詳細文書情報２６、ページ数情報２７、マーカ２８は表示されない。
【００７３】
図４（ｂ）は、初期状態から１個目の表示対象の文書（第１文書：３０ページとする）を登録した直後の状態を示している。シークバー２３は区分されず１本の棒状のままである。トータルページ数２５は「Ｐ３０」と表示される。登録直後は、この文書の１ページ目が文書表示領域２１に表示される。そのため、インジケータ２４はシークバー２３の右端に位置し、詳細文書情報２６は「１／３０」となる。
【００７４】
図４（ｃ）は、その後、図３に示した進む釦３１を押下して、２ページ目を表示させた状態を示している。インジケータ２４が１ページ分、右に移動し、詳細文書情報２６は「２／３０」になっている。
【００７５】
図４（ｄ）は、その後、表示対象として２個目の文書（第２文書：１７ページとする）を登録した直後の状態を示している。シークバー２３は３０：１７の比率で２つの区間に区分される。表示中のページは変化しない。左側の第１区間２３ａは最初に登録した第１文書に対応しており、その文書の２ページ目が表示中なので詳細文書情報２６として「２／３０」が表示される。右側の第２区間２３ｂは第２文書に対応し、ページ数情報２７として「Ｐ１７」が表示される。
【００７６】
図４（ｅ）は、その後、シークバー２３の任意の箇所をペンでタッチすることで、表示中のページを切り替えた状態を示している。図４（ｅ）は、同図（ｄ）の状態において第２文書に対応する区間２３ｂ内の位置Ｂ（第２文書の６ページ目に対応する位置）をペンでタッチした結果、その位置Ｂにインジケータ２４が移動した状態を示している。区間２３ｂについては、対応する第２文書の６ページ目が表示中になったので詳細文書情報２６として「６／１７」が表示される。一方、区間２３ａについては、ページ数情報２７に切り替わり、「Ｐ３０」と表示される。
【００７７】
このように、シークバー２３の任意の箇所をタッチするだけで、そのタッチ位置を含む区間に対応する文書、およびその文書の中の、該タッチ位置に対応するページを指定して、表示中のページを変更することができる。すなわち、表示対象の文書が複数ある場合でも、まず文書を選択し、次にその文書の中のページを選択する、といった２段階の選択操作を行う必要がなく、１度の操作で、所望の文書の所望のページを選択することができる。
【００７８】
図４（ｆ）は、その後、表示対象として３個目の文書（第３文書：１５ページとする）をさらに追加した状態を示している。
【００７９】
図４（ｇ）は、その後、メモ追加釦３６を押下した直後の状態を示している。メモ追加釦３６を押下すると、無記入（白紙）のページが、新規の文書として表示対象に追加登録される。その結果、新たな区間２３ｄが追加されて、シークバー２３は４つの区間２３ａ〜２３ｄに区分される。
【００８０】
このようにして表示対象として順次追加した複数の文書は、この追加した順（登録順）に配列された一連の文書群として扱われる。たとえば、全文書を選択して情報処理装置５などに送信すれば、該複数の文書を１つにまとめた１つの文書として情報処理装置５に送信することができる。
【００８１】
また、表示対象にされている複数の文書が互いに関連ある文書である場合には、これら複数の文書全体としての総ページ数や、複数の文書全体における各文書のページ数の比率、複数の文書全体の中でのページ位置などを直感的に把握することができる。
【００８２】
図５は、表示対象の文書を追加する処理の流れを示している。文書閲覧装置１０は、情報処理装置５などの外部装置から文書のデータを受信すると（ステップＳ１０１）、この受信した文書を表示対象に登録する（ステップＳ１０２）。なお、表示対象の文書は登録順にリスト化されて一連の文書群にされる。受信した文書はこのリストの末尾に登録される。
【００８３】
次に、今回受信した文書以外に表示対象として既に登録されている文書が存在するか否かを調べる（ステップＳ１０３）。既に登録されている文書がない場合は（ステップＳ１０３；Ｎｏ）、図４（ｂ）のような表示を行う。すなわち、受信した文書のページ数をトータルページ数に設定して表示し（ステップＳ１０４）、シークバー２３の下方に詳細文書情報２６として、「１／Ｎ」（Ｎは今回受信した文書のページ数）を表示する（ステップＳ１０５）。さらにインジケータ２４をシークバー２３の左端（１ページ目に対応する位置）に表示して（ステップＳ１０６）、処理を終了する。
【００８４】
今回受信した文書以外に表示対象として既に登録されている文書がある場合は（ステップＳ１０３；Ｙｅｓ）、探索情報表示領域２２の表示内容を、図４（ｃ）から図４（ｄ）、あるいは図４（ｅ）〜図４（ｆ）へ移行するように変更する。すなわち、今回受信した文書のページ数を加算してトータルページ数を更新し（ステップＳ１０７）、今回受信した文書に対応する区間をシークバー２３の右端に追加し、かつ各文書のページ数比率に応じてシークバー２３の各区間の長さを変更して表示する（ステップＳ１０８、Ｓ１０９）。具体的には、前述した式（１）を使用して各区間の長さを求めて更新する。
【００８５】
図６は、シークバー２３へのタッチ操作を受けて表示中のページを変更する処理の流れを示している。文書閲覧装置１０は、シークバー２３に対するタッチ操作を受けると、そのタッチ位置を求める（ステップＳ２０１）。次に、そのタッチ位置に対応する文書と、その文書内でのページ位置とを求める（ステップＳ２０２）。
【００８６】
そして、この求めた文書の該当ページを文書表示領域２１に表示する（ステップＳ２０３）。次に、図４（ｄ）から図４（ｅ）のように探索情報表示領域２２の表示内容を変更する。すなわち、表示したページに対応する位置へインジケータ２４を移動し、表示中のページを含む文書の区間については詳細文書情報２６を表示し、他の文書の区間についてはページ数情報２７を表示して（ステップＳ２０４）、処理を終了する。
【００８７】
次に、全文書を削除する場合について説明する。
【００８８】
図７は、表示対象に登録されている全文書を削除する場合のユーザ手順および探索情報表示領域２２の表示状態の遷移を示している。まず、ユーザは削除釦３３を押下操作する（同図（ａ））。次に、探索情報表示領域２２内のトータルページ数２５の表示箇所をタッチする（同図（ｂ））。
【００８９】
この操作を行うと、「全ドキュメントを削除しますか？  Ｙｅｓ／Ｎｏ」といった確認メッセージが表示される（同図（ｃ））。この問い合わせに対して「Ｙｅｓ」を選択すると、全文書の削除が行われる。
【００９０】
図７（ｄ）は、全文書削除後の探索情報表示領域２２の表示状態を示している。図４（ａ）と同様の初期状態になる。
【００９１】
次に、表示対象の文書またはページを削除する場合について説明する。
【００９２】
図８は、表示対象のいずれかの文書またはページを削除する場合のユーザ手順および探索情報表示領域２２の表示状態の遷移を示している。まず、ユーザは削除釦３３を押下操作し（図８（ａ））、次に、シークバー２３上の、削除したい文書またはページに対応する位置をタッチする（図８（ｂ））。
【００９３】
この操作を行うと、
「このドキュメントを削除しますか？  Ｙｅｓ／Ｎｏ
このページを削除しますか？  Ｙｅｓ／Ｎｏ、」
といった確認メッセージが表示される（同図（ｃ））。この問い合わせに対してドキュメント削除に対応する「Ｙｅｓ」を選択すると、タッチ位置が含まれる区間に対応する文書の削除が行われる。図８（ｄ）は、タッチ位置に対応する文書が削除された後の探索情報表示領域２２の表示状態を示している。
【００９４】
同図（ｃ）の問い合わせに対してページ削除に対応する「Ｙｅｓ」を選択すると、タッチ位置に対応するページの削除が行われる。図８（ｅ）は、タッチ位置に対応するページが削除された後の探索情報表示領域２２の表示状態を示している。
【００９５】
なお、図８（ｃ）〜（ｅ）の破線で示すように、文書やページを削除してもシークバー２３全体の長さは変化しない。
【００９６】
図９は、文書閲覧装置１０による削除処理の流れを示している。削除釦３３の押下を検出すると（ステップＳ３０１）、削除対象を指示するためのタッチ操作を受ける（ステップＳ３０２）。具体的には、全文書の場合にはトータルページ数２５の表示箇所へのタッチ操作、文書またはページ削除の場合はシークバー２３の該当箇所へのタッチ操作を受ける。
【００９７】
トータルページ数２５へのタッチ操作を受けた場合、すなわち、全文書を削除する指示を受けた場合は（ステップＳ３０３；Ｙｅｓ）、シークバー２３を初期化し、トータルページ数２５を「０」にする（ステップＳ３０４）。そして、全文書を表示対象の登録から削除し、また全ての文書のデータをメモリから削除して（ステップＳ３０５）、本処理を終了する。
【００９８】
シークバー２３へのタッチを受けた場合は（ステップＳ３０３；Ｎｏ）、削除対象が文書かページかをユーザに問い合わせる（ステップＳ３０６）。
【００９９】
文書を削除する旨の操作を受けた場合は（ステップＳ３０７；Ｙｅｓ）、タッチ位置に対応する文書を削除対象とし、該削除対象の文書のページ数を減算してトータルページ数２５を更新する（ステップＳ３０８）。さらに、削除対象の文書に対応する区間をシークバー２３から削除し、残りの区間の長さをそれらに対応する文書のページ数の比率に従って変更するなどして表示を更新する（ステップＳ３０９）。そして、削除対象の文書を表示対象の登録（リスト）から削除し、またその文書のデータをメモリから削除して（ステップＳ３１０）、本処理を終了する。
【０１００】
ページを削除する旨の操作を受けた場合は（ステップＳ３０７；Ｎｏ、Ｓ３１１；Ｙｅｓ）、タッチ位置に対応するページを削除対象とし、該削除対象のページを含む文書のページ数、およびトータルページ数２５をそれぞれ「１」減算して更新する（ステップＳ３１２）。さらに、減算後の各文書のページ数の比率に応じてそれぞれの区間の長さを変更するなどして表示を更新する（ステップＳ３１３）。そして、削除対象のページを表示対象の登録から削除し、またそのページのデータをメモリから削除して（ステップＳ３１４）、本処理を終了する。
【０１０１】
このように、シークバー２３の任意の箇所をタッチするだけで、そのタッチした箇所に対応するページを削除対象に選択することができるので、表示対象の文書が複数ある場合でも、まず文書を選択し、次にその文書の中のページを選択する、といった２段階の選択操作を行うことなく、所望の文書の所望のページを削除対象に選択することができる。
【０１０２】
次に、表示対象に登録されている文書やページを移動させて並び順を変更する手順について説明する。
【０１０３】
前述したように、文書は外部装置から受信した順（登録順）にリスト化された一連の文書群として扱われ、リストの先頭の文書から順に、シークバー２３の左端から右方向に配列される。文書閲覧装置１０では、登録順にリスト化された文書やページの並び順を、文書単位もしくはページ単位に移動させて変更することができる。
【０１０４】
図１０は、表示対象に登録されている文書またはページを移動する場合のユーザ手順および探索情報表示領域２２の表示状態の遷移を示している。まず、ユーザは移動釦３４を押下操作し（図１０（ａ））、次に、シークバー２３上の、移動したい文書またはページに対応する位置をタッチする（図１０（ｂ））。
【０１０５】
この操作を行うと、
「このドキュメントを移動しますか？  Ｙｅｓ／Ｎｏ
このページを移動しますか？  Ｙｅｓ／Ｎｏ」
といった確認メッセージが表示される（図１０（ｃ））。この問い合わせに対してユーザはドキュメント移動に対応する「Ｙｅｓ」またはページ移動に対応する「Ｙｅｓ」を選択する。
【０１０６】
次に、ユーザは、シークバー２３上で移動先に対応する位置をタッチする（図１０（ｄ））。ここで、先ほどの確認メッセージに対してドキュメント移動に対応する「Ｙｅｓ」が押下されていた場合は、区間の境界位置（シークバー２３の左右の端部も含む）の中でこのタッチ位置に最も近い境界位置が移動先に設定され、その移動先を指して「このドキュメント間に挿入しますか？  Ｙｅｓ／Ｎｏ」といったメッセージが表示される（図１０（ｅ））。ここで、ユーザが「Ｙｅｓ」を選択すると、移動対象の文書が、移動先に対応する文書間（もしくは先頭または末尾）に移動される（図１０（ｆ））。図１０は、文書を移動させる場合を示しており、移動対象の文書に対応する区間に斜線を施してある。
【０１０７】
図１１は、文書閲覧装置１０による移動処理の流れを示している。文書閲覧装置１０は、移動釦３４の押下を検出すると（ステップＳ４０１）、移動対象を指示するためのタッチ操作を受ける（ステップＳ４０２）。具体的には、シークバー２３の該当箇所へのタッチ操作を受ける。
【０１０８】
次に、移動対象が文書かページかをユーザに問い合わせる（ステップＳ４０３）。
【０１０９】
文書を移動する旨の操作を受けた場合は（ステップＳ４０４；Ｙｅｓ）、シークバー２３へのタッチによる移動先の指定を受け付け、区間の境界位置（シークバー２３の左右の端部も含む）の中でこのタッチ位置に最も近い境界位置を移動先に設定する（ステップＳ４０５）。
【０１１０】
次に、この設定した移動先を指して、この位置に文書を移動するか否かをユーザに問い合わせる（ステップＳ４０６）。この問い合わせに対して「Ｎｏ」の選択を受けると（ステップＳ４０６；Ｎｏ）、本処理を終了する。この問い合わせに対して「Ｙｅｓ」の選択を受けた場合は（ステップＳ４０６；Ｙｅｓ）、シークバー２３上において、移動対象の文書を移動先の文書間等に挿入するように移動対象の文書に対応する区間を移動させる（ステップＳ４０７）。また、これに従うように、メモリ上にリスト化されて登録されている文書の並び順を変更して（ステップＳ４０８）、処理を終了する。
【０１１１】
ページを移動する旨の操作を受けた場合は（ステップＳ４０４；Ｎｏ）、Ｓ４０９；Ｙｅｓ）、シークバー２３へのタッチによる移動先の指定を受け付け、そのタッチ位置に最も近いページの境界位置を移動先に設定する（ステップＳ４１０）。
【０１１２】
次に、この設定した移動先を指して、この位置にページを移動するか否かをユーザに問い合わせる（ステップＳ４１１）。この問い合わせに対して「Ｎｏ」の選択を受けると（ステップＳ４１１；Ｎｏ）、本処理を終了する。この問い合わせに対して「Ｙｅｓ」の選択を受けた場合は（ステップＳ４１１；Ｙｅｓ）、シークバー２３上において、移動対象のページを移動先のページ間に挿入するように表示を変更する（ステップＳ４１２）。
【０１１３】
具体的には、移動先が移動前と同じ文書内であれば、区間の移動はない。移動によってインジケータ２４の位置を移動させる必要があれば、インジケータ２４の位置を変更する。一方、ページを別の文書内に移動させる場合、移動元の文書に対応する区間の長さを１ページ分短くし、移動先の文書に対応する区間を１ページ分長くするように変更する。また、必要に応じてインジケータ２４の表示位置や詳細文書情報２６等を変更する。
【０１１４】
その後、メモリ上に登録されている文書内のページの並び順を変更して（ステップＳ４１３）、処理を終了する。
【０１１５】
このように、シークバー２３の任意の箇所をタッチするだけで、そのタッチした箇所に対応する文書やページを移動対象に選択したり、移動先の位置を指定することができるので、表示対象の文書が複数ある場合でも、まず文書を選択し、次にその文書の中のページを選択する、といった２段階の選択操作を行うことなく、所望の文書の所望のページを移動対象に選択したり、移動先を指定したりすることができる。
【０１１６】
次に、文書やページの送信について説明する。
【０１１７】
ここでは、選択された文書やページは、その文書やページを文書閲覧装置１０に登録した時の送信元の装置に送信するものとする。
【０１１８】
図１２は、表示対象に登録されている全文書を外部装置へ送信する場合のユーザ手順および探索情報表示領域２２の表示状態の遷移を示している。まず、ユーザは送信釦３５を押下操作する（同図（ａ））。次に、探索情報表示領域２２内のトータルページ数２５の表示箇所をタッチする（同図（ｂ））。
【０１１９】
この操作を行うと、「全ドキュメントを送信しますか？  Ｙｅｓ／Ｎｏ」といった確認メッセージが表示される（同図（ｃ））。この問い合わせに対して「Ｙｅｓ」を選択すると、全文書の送信が行われる。
【０１２０】
図１３は、表示対象のいずれかの文書またはページを外部装置へ送信する場合のユーザ手順および探索情報表示領域２２の表示状態の遷移を示している。まず、ユーザは送信釦３５を押下操作し（図１３（ａ））、次に、シークバー２３上の、送信したい文書またはページに対応する位置をタッチする（図１３（ｂ））。
【０１２１】
この操作を行うと、
「このドキュメントを送信しますか？  Ｙｅｓ／Ｎｏ
このページを送信しますか？  Ｙｅｓ／Ｎｏ」
といった確認メッセージが表示される（同図（ｃ））。この問い合わせに対してユーザがドキュメント送信に対応する「Ｙｅｓ」を選択すると、タッチ位置が含まれる区間に対応する文書が送信される。
【０１２２】
同図（ｃ）の問い合わせに対してユーザがページ送信に対応する「Ｙｅｓ」を選択すると、タッチ位置に対応するページが送信される。
【０１２３】
図１４は、文書閲覧装置１０による送信処理の流れを示している。送信釦３５の押下を検出すると（ステップＳ５０１）、送信対象を指示するためのタッチ操作を受ける（ステップＳ５０２）。具体的には、全文書を送信対象にする場合はトータルページ数２５の表示箇所へのタッチ操作、文書またはページを送信対象にする場合はシークバー２３の該当箇所へのタッチ操作を受ける。
【０１２４】
トータルページ数２５へのタッチ操作を受けた場合、すなわち、全文書を送信する指示を受けた場合は（ステップＳ５０３；Ｙｅｓ）、全文書を送信して（ステップＳ５０４）、本処理を終了する。
【０１２５】
シークバー２３へのタッチを受けた場合は（ステップＳ５０３；Ｎｏ）、送信対象が文書かページかをユーザに問い合わせる（ステップＳ５０５）。
【０１２６】
文書を送信する旨の操作を受けた場合は（ステップＳ５０６；Ｙｅｓ）、タッチ位置に対応する文書を送信して（ステップＳ５０７）、本処理を終了する。
【０１２７】
ページを送信する旨の操作を受けた場合は（ステップＳ５０６；Ｎｏ、Ｓ５０８；Ｙｅｓ）、タッチ位置に対応するページを送信して（ステップＳ５０９）、本処理を終了する。
【０１２８】
このように、シークバー２３の任意の箇所をタッチするだけで、そのタッチした箇所に対応するページを送信対象に選択することができるので、表示対象の文書が複数ある場合でも、まず文書を選択し、次にその文書の中のページを選択する、といった２段階の選択操作を行うことなく、所望の文書の所望のページを送信対象に選択することができる。
【０１２９】
次に、文書バーの表示態様の各種の変形例を示す。
【０１３０】
図１５は、縦型のシークバー２３Ｖを示している。たとえば、文書閲覧装置１０が横長の向きにして使用される場合に、表示面の右端に縦型のシークバー２３を表示するとよい。
【０１３１】
図１６は、区間を階段状に配置した階段型のシークバー２３Ｓを示している。任意の位置をタッチすると、インジケータ２４はそのタッチ位置へと段差を越えて移動する（同図（ａ）→（ｂ））。
【０１３２】
図１７は、文書毎に独立した文書バー４１を表示する場合を示している。この例では、３個の文書に対応する３本の文書バー４１が並列に表示されている。また、文書のページ数に係らず、すべての文書バー４１の長さは一定に揃えてある。任意の文書バー４１の任意の位置をタッチすると、インジケータ２４は、文書バー４１間を越えてそのタッチ位置に移動する（同図（ａ）→（ｂ））。
【０１３３】
図１８は、文書毎に独立した文書バー４１を表示する場合であって、文書バー４１の長さを文書のページ数に応じた長さにする場合を示している。たとえば、表示対象にされた複数の文書の中で最もページ数の多い文書の文書バー４１の長さが所定の最大長になるようにし、かつ各文書バー４１の長さが各文書のページ数の比率に従うようにする。この場合も、任意の文書バー４１の任意の位置をタッチすると、インジケータ２４は、文書バー間を越えてそのタッチ位置に移動する（同図（ａ）→（ｂ））。
【０１３４】
このように、文書バー４１は、シークバー２３のように、１本の棒状に連結される必要はなく、個々独立して表示されてもかまわない。
【０１３５】
図１９は、シークバー２３の表示において、表示対象の文書の数が多数の場合に、文書毎の詳細文書情報２６やページ数情報２７の表示を省略する場合を示している。同図（ａ）は区間の数が少なく、各区間に対応して詳細文書情報２６やページ数２７を表示している通常の状態を示し、同図（ｂ）は区間の数が所定数（たとえば１０）を超えた場合の表示例を示している。
【０１３６】
表示対象に登録されている文書の数が多くなって区間の数が増大すると、区間毎に詳細文書情報２６やページ数情報２７を表示すると、見難くなってしまう。そこで、区間の数が所定数を超える場合には同図（ｂ）に示すように詳細文書情報２６やページ数情報２７の表示を省略する。トータルページ数２５の表示は維持される。
【０１３７】
なお、同図（ｃ）のように、区間の数が所定数を超える場合でも、インジケータ２４が表示される区間については詳細文書情報２６を表示するようにしてもよい。
【０１３８】
また、表示対象に登録されている文書を、所定の要件が共通することをもってグループ化し、クループ単位に文書バーやシークバー２３内の区間を表示するようにしてもよい。特に文書の数が多い場合に有効になる。グループ化の基準となる要件としては、文書を外部装置から受信した日付や時間帯（表示対象に登録された日付や時間帯）、文書の送信元（文書閲覧装置１０に対して文書を送信した送信者あるいは送信元の端末装置）、文書を外部装置へ送信する場合の送信先などがある。これら以外の任意の要件でもよい。また、グループ解除、あるいは指定したグループ単位にグループ解除を可能にしてもよい。解除により、文書単位での削除や移動、送信が可能になる。
【０１３９】
また、シークバー２３において、区間の境界が識別可能となるように区間の色を相違させてもよい。この場合、図２０（ａ）に示すように、すべての区間の色を相違させてもよいし、同図（ｂ）に示すように、少なくとも隣り合う区間の色が相違するようにしてもよい。色分けにより、視覚的により分かり易くシークバー２３を表示することができる。
【０１４０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４１】
実施の形態では、メモリ表示デバイスを表示部１７として使用したが、液晶ディスプレイなどでもかまわない。表示はカラー、モノクロいずれでもかまわない。ただし、図２０のように色わけによる表示をする場合には、それらの色を表示可能な表示部を使用することが求められる。
【０１４２】
ページ指定オブジェクトの表示形態は実施の形態に例示したものに限定されない。たとえば、ページ単位（ページ数が多い場合は所定ページ数単位）の目盛りが付加された文書バー４１やシークバー２３としてもよい。また、ページ指定オブジェクトは、数字でページ位置の指定を受け付ける入力欄としてもよい。複数の文書に対応するページ指定オブジェクトとして、複数の入力欄を表示し、いずれか１つの入力欄に数字が入力されると、その入力欄に対応するページのその数字に対応するページ位置のページを表示したり、そのページを処理対象にしたりするようにすればよい。
【０１４３】
また、ページ指定オブジェクトは、棒状の文書バー４１などに限定されず、円形、環状、円弧、Ｖ字状など任意の形状の表示物であってもよい。たとえば、ページ指定オブジェクトを円弧とし、連結ページ指定オブジェクトを円とし、円のサイズを固定とし、円弧の中心角を、その円弧に対応する文書のページ数の比率に応じて設定するようにしてもよい。
【０１４４】
実施の形態では、削除や移動、送信の操作において、処理の指定（削除、移動、送信）を受けてからシークバー２３のタッチを受けたとき、文書を処理単位とするかページを処理単位とするかを問い合わせるようにしたが、たとえば、該問い合わせを行わずに、タッチされた位置に対応するページに対してその指定された処理を施すようにしてもよい。また、処理の指定釦を、文書単位の削除釦、ページ単位の削除釦のように、文書単位の釦と、ページ単位の釦とをそれぞれ設けるようにすれば、たとえば、ページ単位の削除を指示する釦の操作を受けた後、シークバー２３への一度のタッチ操作のみで、表示対象に登録されている複数の文書の中から、任意の文書の任意のページを削除対象に選択することができる。
【０１４５】
なお、シークバー２３へのタッチを検出したとき、そのタッチに対応するページ情報（ページ番号など）を表示し、タッチされたままタッチされている箇所が移動したときは、その移動した箇所に対応するページ位置の情報を逐次表示し、タッチがリリースされたとき、そのリリースされた箇所を最終的なユーザによる選択位置と判断して、表示対象や処理対象のページを確定するようにしてもよい。
【０１４６】
たとえば、３０ページの文書の８ページ目を表示させたい場合、正確に８ページ目に対応する箇所をタッチできないことがある。しかし、上記のようなユーザＩ／Ｆを提供すれば、最初のタッチ位置が目的のページから少し外れた場合であっても、タッチした状態のまま押下位置を、ページ情報の表示を見ながら移動させることで、操作をやり直したり、別途、進む釦３１や戻る釦３２でページを切り替えたりしなくても、目的のページを指定することができる。なお、タッチしている間だけ、そのタッチしている箇所の近傍において、シークバー２３上の１ページ当たりの長さを広げるようにしてもよい。これにより、タッチした後、目的のページの位置へ移動させる際の操作が容易になる。
【０１４７】
文書の内容は文字に限定されず、イメージ情報等でもかまわない。
【０１４８】
実施の形態では１つのページを文書表示領域に表示される場合を例示したが、１度に連続する複数ページ（たとえば、見開きの２ページ）を表示する場合にも本発明は適用される。この場合、シークバー２３や文書バーにタッチされた位置を基準に、表示や処理の対象となる複数ページを定めればよい。
【０１４９】
実施の形態では、手書き入力可能な文書閲覧装置１０を例に説明したが、編集や手書きの機能は必須ではなく、閲覧が可能であればよい。
【０１５０】
実施の形態では、文書閲覧装置１０を携帯型の端末装置としたが、据え置き型の装置であってもかまわない。
【０１５１】
また、外部装置から受信した文書を表示対象の文書とするようにしたが、表示対象の文書の選択方法は任意でよい。たとえば、ハードディスク装置などに格納されている多数の文書の中から、任意の複数の文書を表示対象に選択可能としてもよい。所定のアプリケーションで複数の文書を同時に開いたとき、それら開いた状態の複数の文書を、本発明における「表示対象として登録された文書」としてもよい。
【符号の説明】
【０１５２】
５…情報処理装置
７…印刷装置
１０…文書閲覧装置
１１…ＣＰＵ
１２…表示コントローラ
１３…操作部
１４…通信部
１５…メモリ
１６…ＲＯＭ
１７…表示部
１８…電池
２０…標準画面
２１…文書表示領域
２２…探索情報表示領域
２３…シークバー
２３ａ、２３ｂ、２３ｃ、２３ｄ…区間
２３Ｖ…縦型のシークバー
２３Ｓ…階段型のシークバー
２４…インジケータ
２５…トータルページ数
２６…詳細文書情報
２７…ページ数情報
２８…マーカ
３１…進む釦
３２…戻る釦
３３…削除釦
３４…移動釦
３５…送信釦
３６…メモ追加釦
４１…文書バー
Ｓ…表示面
【図１】
0005609914.tif 000002
【図２】
0005609914.tif 000003
【図３】
0005609914.tif 000004
【図４】
0005609914.tif 000005
【図５】
0005609914.tif 000006
【図６】
0005609914.tif 000007
【図７】
0005609914.tif 000008
【図８】
0005609914.tif 000009
【図９】
0005609914.tif 000010
【図１０】
0005609914.tif 000011
【図１１】
0005609914.tif 000012
【図１２】
0005609914.tif 000013
【図１３】
0005609914.tif 000014
【図１４】
0005609914.tif 000015
【図１５】
0005609914.tif 000016
【図１６】
0005609914.tif 000017
【図１７】
0005609914.tif 000018
【図１８】
0005609914.tif 000019
【図１９】
0005609914.tif 000020
【図２０】
0005609914.tif 000021